(57)【要約】【課題】コンタクトターミナル上に液体溜まりが形成されることを抑制するアクセサリーソケットを提供する。【解決手段】アクセサリーソケット１は、側面２１に液体を排出する水抜開口２５を有し、挿入されたプラグ８に電力を供給する一方のターミナルとなるケース２と、プラグ８に電力を供給する他方のターミナルとなるコンタクトターミナル３と、コンタクトターミナル３が挿入される孔４１２を上面４１０に有する筒部４１、筒部４１の下部４１１に設けられたフランジ部４０、及び孔４１２とフランジ部４０に通じると共に上面４１０から下部４１１に亘って形成されて液体を排出するスリット４２及びスリット４３を有するインシュレータ４と、を備えて概略構成されている。【選択図】図１
2017112034.tif 000002
【特許請求の範囲】
【請求項１】
少なくとも一部が導通部材で形成され、側面に液体を排出する開口を有し、前記導通部材が挿入されたプラグに電力を供給する一方のターミナルとなるケースと、
導通部材で形成され、前記プラグに電力を供給する他方のターミナルとなるコンタクトターミナルと、
前記コンタクトターミナルが挿入される孔を上面に有する筒部、前記筒部の下部に設けられたフランジ部、及び前記孔と前記フランジ部に通じると共に前記上面から前記下部に亘って形成されて前記液体を排出する少なくとも１つのスリット、を有するインシュレータと、
を備えたアクセサリーソケット。
【請求項２】
前記スリットは、前記スリットの中心と前記孔の中心を通る線が曲線となるように前記筒部に形成される、
請求項１に記載のアクセサリーソケット。
【請求項３】
前記インシュレータは、複数の前記スリットを有し、
複数の前記スリットは、前記スリットの中心と前記孔の中心を通る線が直線である場合、前記線のなす角度が１８０°以外となるように前記筒部に形成される、
請求項１に記載のアクセサリーソケット。
【請求項４】
前記フランジ部は、表面が外に向かって傾斜している、
請求項１乃至３のいずれか１項に記載のアクセサリーソケット。
【請求項５】
前記フランジ部は、表面が前記ケースの前記開口に露出するように前記ケースに配置される、
請求項１乃至４のいずれか１項に記載のアクセサリーソケット。
【発明の詳細な説明】
【技術分野】
【０００１】
本発明は、アクセサリーソケットに関する。
【背景技術】
【０００２】
従来の技術として、樹脂製のアウターケース及び金属製のインナーケースからなり、側面に水抜き穴が設けられたケースと、ケースの奥端に取り付けられて端子、フューズ及び接点を組み込んだ端子／フューズアセンブリと、を備えた電源ソケットが知られている（例えば、特許文献１参照。）。
【０００３】
端子／フューズアセンブリは、円筒形状を有する樹脂製のカバープレートと、カバープレート内に配置される接点円盤と、を有する。このカバープレートは、上壁に接点円盤が露出する穴を有している。電子機器のプラグは、ケースに挿入されることにより、側面に設けられた一方の電極がインナーケースと接触すると共に、先端に設けられた他方の電極が穴に露出する接点円盤と接触し、当該電子機器に電力を供給することができる。
【先行技術文献】
【特許文献】
【０００４】
【特許文献１】特開２０１３−１２２８５３号公報
【発明の概要】
【発明が解決しようとする課題】
【０００５】
しかし従来の電源ソケットは、ケース内に液体が入った場合、ケースの側面に設けられた水抜き穴から排出されるもののカバープレートの穴に入った液体を排出することができず接点円盤が水没する可能性がある。
【０００６】
従って、本発明の目的は、コンタクトターミナル上に液体溜まりが形成されることを抑制するアクセサリーソケットを提供することにある。
【課題を解決するための手段】
【０００７】
本発明の一態様は、少なくとも一部が導通部材で形成され、側面に液体を排出する開口を有し、導通部材が、挿入されたプラグに電力を供給する一方のターミナルとなるケースと、導通部材で形成され、プラグに電力を供給する他方のターミナルとなるコンタクトターミナルと、コンタクトターミナルが挿入される孔を上面に有する筒部、筒部の下部に設けられたフランジ部、及び孔とフランジ部に通じると共に上面から下部に亘って形成されて液体を排出する少なくとも１つのスリット、を有するインシュレータと、を備えたアクセサリーソケットを提供する。
【発明の効果】
【０００８】
本発明によれば、コンタクトターミナル上に液体溜まりが形成されることを抑制する。
【図面の簡単な説明】
【０００９】
【図１】図１（ａ）は、実施の形態に係るアクセサリーソケットの一例を示す斜視図であり、図１（ｂ）は、アクセサリーソケットの配置の一例を示す概略図である。
【図２】図２（ａ）は、実施の形態に係るアクセサリーソケットの一例を示す上面図であり、図２（ｂ）は、図２（ａ）のII（ｂ）-II（ｂ）線で切断した断面の一例を矢印方向から見た概略図である。
【図３】図３（ａ）は、実施の形態のアクセサリーソケットのインシュレータの一例を示す上面図であり、図３（ｂ）は、正面図であり、図３（ｃ）は、下面図であり、図３（ｄ）は、側面図である。
【図４】図４（ａ）〜図４（ｃ）は、実施の形態に係るアクセサリーソケットのインシュレータに形成されるスリットの一例を示す概略図である。
【発明を実施するための形態】
【００１０】
（実施の形態の要約）
実施の形態に係るアクセサリーソケットは、少なくとも一部が導通部材で形成され、側面に液体を排出する開口を有し、導通部材が、挿入されたプラグに電力を供給する一方のターミナルとなるケースと、導通部材で形成され、プラグに電力を供給する他方のターミナルとなるコンタクトターミナルと、コンタクトターミナルが挿入される孔を上面に有する筒部、筒部の下部に設けられたフランジ部、及び孔とフランジ部に通じると共に上面から下部に亘って形成されて液体を排出する少なくとも１つのスリット、を有するインシュレータと、を備えて概略構成されている。
【００１１】
このアクセサリーソケットは、筒部内に入った液体がスリットから抜け、開口から排出されるので、コンタクトターミナル上に液体溜まりが形成されることを抑制することができる。
【００１２】
[実施の形態]
（アクセサリーソケット１の概要）
図１（ａ）は、実施の形態に係るアクセサリーソケットの一例を示す斜視図であり、図１（ｂ）は、アクセサリーソケットの配置の一例を示す概略図である。なお、以下に記載する実施の形態に係る各図において、図形間の比率は、実際の比率とは異なる場合がある。
【００１３】
アクセサリーソケット１は、例えば、図１（ｂ）に示すように、車両９に搭載され、車両９のバッテリと電気的に接続されている。このアクセサリーソケット１は、電子機器のプラグ８が挿入されると、当該電子機器にバッテリに基づく電力を供給するように構成されている。
【００１４】
具体的には、アクセサリーソケット１は、図１（ａ）及び図１（ｂ）に示すように、少なくとも一部が導通部材で形成され、側面２１に液体を排出する開口（水抜開口２５）を有し、導通部材が、挿入されたプラグ８に電力を供給する一方のターミナルとなるケース２と、導通部材で形成され、プラグ８に電力を供給する他方のターミナルとなるコンタクトターミナル３と、コンタクトターミナル３が挿入される孔４１２を上面４１０に有する筒部４１、筒部４１の下部４１１に設けられたフランジ部４０、及び孔４１２とフランジ部４０に通じると共に上面４１０から下部４１１に亘って形成されて液体を排出する少なくとも１つのスリット、を有するインシュレータ４と、を備えて概略構成されている。本実施の形態のスリットは、一例として、スリット４２及びスリット４３である。
【００１５】
（ケース２の構成）
図２（ａ）は、実施の形態に係るアクセサリーソケットの一例を示す上面図であり、図２（ｂ）は、図２（ａ）のII（ｂ）-II（ｂ）線で切断した断面の一例を矢印方向から見た概略図である。
【００１６】
ケース２は、図１（ａ）及び図２（ａ）に示すように、導電性を有する金属材料によって底を有する円筒形状に形成されている。このケース２の一方の端部には、挿入孔２２が形成されている。プラグ８は、この挿入孔２２に挿入される。
【００１７】
またケース２の他方の端部には、図２（ｂ）に示すように、コネクタハウジング５が取り付けられている。このコネクタハウジング５は、ケース２の底面２４の中央に形成された中央孔２６に、支持部４４が挿入されて取り付けられる。
【００１８】
ケース２の側面２１には、例えば、複数の開口２３が設けられ、取り付け先の爪が嵌まり込んでフロアコンソール９０に取り付けられる。
【００１９】
またケース２の底面２４側の側面２１には、複数の水抜開口２５が形成されている。この水抜開口２５内には、インシュレータ４のフランジ部４０が露出している。従ってケース２内に入った液体は、フランジ部４０を伝って水抜開口２５から排出される。
【００２０】
ケース２は、全体が導電体材料によって形成されているが、これに限定されず、少なくともプラグ８の側面に突出する電極が接触する領域が導電体材料によって形成されていれば良い。
【００２１】
（コンタクトターミナル３の構成）
コンタクトターミナル３は、導電性を有する金属材料によって形成されている。このコンタクトターミナル３は、例えば、図２（ａ）及び図２（ｂ）に示すように、円柱形状を有する円柱部３０と、先端部３１側に設けられ、円柱部３０の径方向に突出する円板部３３とを備えて概略構成されている。
【００２２】
コンタクトターミナル３は、インシュレータ４の孔４１２に端部３２から挿入される。この孔４１２は、図２（ｂ）に示すように、半径が小さい挿入孔４１３と連結されている。コンタクトターミナル３の端部３２が、この挿入孔４１３に挿入されると、孔４１２と挿入孔４１３との境界となる下面４１４上に円板部３３が接触する。
【００２３】
コンタクトターミナル３の上面３１０は、図２（ｂ）に示すように、インシュレータ４の筒部４１の上面４１０より低い位置に位置している。従って上面３１０は、インシュレータ４の上面４１０の上に載った導電性を有する部材と接触し難い。
【００２４】
なおコンタクトターミナル３の端部３２は、コネクタハウジング５に配置されるターミナルと加締めなどによって電気的に接続される。
【００２５】
（インシュレータ４の構成）
図３（ａ）は、実施の形態のアクセサリーソケットのインシュレータの一例を示す上面図であり、図３（ｂ）は、正面図であり、図３（ｃ）は、下面図であり、図３（ｄ）は、側面図である。図４（ａ）〜図４（ｃ）は、実施の形態に係るアクセサリーソケットのインシュレータに形成されるスリットの一例を示す概略図である。図４（ａ）〜図４（ｃ）は、筒部４１のみを示している。
【００２６】
インシュレータ４は、一例として、ポリアミド、ポリ塩化ビニルなどの難燃性樹脂により形成されている。このインシュレータ４は、図３（ａ）〜図３（ｄ）に示すように、円板形状を有するフランジ部４０と、フランジ部４０の中央から突出する筒部４１と、フランジ部４０と筒部４１に接触し、筒部４１を介して対向する一対の支持部４４と、を備えて概略構成されている。
【００２７】
フランジ部４０は、表面が外に向かって傾斜して斜面部４００が形成されている。この斜面部４００は、上述のように、表面がケース２の水抜開口２５に露出するようにケース２に配置されている。ケース２に入った液体は、この斜面部４００から水抜開口２５に向かって流れ、ケース２の外に排出される。
【００２８】
フランジ部４０の下面４０１には、図２（ｂ）、図３（ｃ）及び図３（ｄ）に示すように、下面４０１の法線方向に突出する一対の突起４０２と、挿入孔４１３を囲む円溝４０３と、が形成されている。
【００２９】
突起４０２は、ケース２の底面２４に形成された開口２７に挿入されている。また円溝４０３は、図２（ｂ）に示すように、コネクタハウジング５の突出部５２が挿入されている。
【００３０】
筒部４１は、例えば、円筒形状を有しているが、これに限定されず、径方向の断面が矩形状などであっても良い。
【００３１】
この筒部４１には、スリット４２及びスリット４３が形成されている。このスリット４２及びスリット４３は、コンタクトターミナル３が挿入される孔４１２に入った液体がフランジ部４０の斜面部４００の方に流れるように形成されている。
【００３２】
このスリット４２及びスリット４３は、スリットの中心と孔４１２の中心４１５を通る線が曲線となるように筒部４１に形成されている。本実施の形態のスリット４２及びスリット４３は、図４（ａ）に示すように、直線的に形成されるものの中心４１５に向かっていない。従ってスリット４２の中心と孔４１２の中心４１５を通る線４２０と、スリット４３の中心と孔４１２の中心４１５を通る線４３０は、途中で折れ曲がる曲線となる。
【００３３】
ここで図２（ａ）に示すように、ケース２内にコインなどのある角度では直線的な形状を有する導電性部材７が入った場合、スリットの形状によっては、ケース２とコンタクトターミナル３とに接触し、ショートしてしまう。
【００３４】
本実施の形態では、スリット４２及びスリット４３は、中心４１５に向かって直線的に形成されないので、スリット４２及びスリット４３が対向して中心４１５における線４２０と線４３０のなす角度が１８０°となってもコインなどが入り込まない形状となっている。また導電性部材７がスリット４２及びスリット４３に嵌まり込む程小さい部材であっても中心４１５に向いていないのでケース２とコンタクトターミナル３とに同時に接触しない。
【００３５】
図４（ｂ）に示すスリット４５ａ〜スリット４５ｃは、スリットの中心と挿入孔４１３の中心４１５を通る線が直線である場合を示す変形例である。このスリット４５ａ〜スリット４５ｃは、図４（ｂ）に示すように、中心４１５に向かって直線的に形成されている。このスリット４５ａ〜スリット４５ｃは、線４５０ａ、線４５０ｂ及び線４５０ｃのなす角度が１８０°以外となるように筒部４１に形成されている。この変形例におけるなす角度は、一例として、１２０°である。
【００３６】
上述のように、１８０°以外の角度で複数のスリットが形成された場合、導電性部材７が同時に複数のスリットに嵌り込まない。しかし小さな導電性部材７の場合、スリットに嵌まり込んでケース２とコンタクトターミナル３とに同時に接触する可能性があるので、曲線であることがより望ましい。なおスリットの数は、線のなす角度が１８０°以外となる場合、任意である。
【００３７】
図４（ｃ）に示すスリット４６ａ及びスリット４６ｂは、スリットの中心と挿入孔４１３の中心４１５を通る線が曲線である他の変形例である。このスリット４６ａ及びスリット４６ｂは、対向して形成され、中心４１５における線４６０ａ及び線４６０ｂのなす角度が１８０°であるが、スリット４６ａ及びスリット４６ｂの中心を通る線が曲線であるので、コインなどの導電性部材７がスリットに入り込まない形状となっている。
【００３８】
この図４（ａ）に示すスリット４２及びスリット４３と、図４（ｃ）に示すスリット４６ａ及びスリット４６ｂとは、図４（ａ）及び図４（ｃ）に点線で示すように、スリットの中心を通る線を延長すると中心４１５を通らないように形成されている。
【００３９】
従ってスリットは、線を延長すると中心４１５を通らない場合、数や形状などが自由となる。またスリットは、線を延長すると中心４１５を通る場合、中心４１５における角度が１８０°以外の角度となるように形成される。
【００４０】
（コネクタハウジング５の構成）
コネクタハウジング５は、例えば、樹脂を用いて円筒形に形成されている。このコネクタハウジング５は、図２（ｂ）に示すように、接続開口５０と、挿入開口５１と、突出部５２と、を有している。
【００４１】
接続開口５０には、例えば、コネクタの本体が取り付けられる。この本体には、例えば、車両９のハーネスのコネクタが接続される。挿入開口５１は、例えば、円形状を有して上部の中央に形成され、コンタクトターミナル３の端部３２が挿入される。
【００４２】
突出部５２は、例えば、挿入開口５１を囲んで突出するような円筒形状を有している。そして突出部５２は、ケース２の中央孔２６に挿入されると共に、インシュレータ４の円溝４０３に挿入される。
【００４３】
（実施の形態の効果）
本実施の形態に係るアクセサリーソケット１は、コンタクトターミナル３上に液体溜まりが形成されることを抑制することができる。具体的には、アクセサリーソケット１は、筒部４１にスリット４２及びスリット４３が形成されているので、孔４１２に溜まった液体がスリット４２及びスリット４３からインシュレータ４の斜面部４００に流れ、水抜開口２５から外に排出される。従ってアクセサリーソケット１は、コンタクトターミナル３上に液体溜まりが形成されることを抑制することができる。
【００４４】
アクセサリーソケット１は、意図せずケース２内にコインなどの導電性部材７が入った際、導電性部材７がケース２とコンタクトターミナル３に同時に接触し難いようにスリット４２及びスリット４３が形成されているので、導電性部材がスリットに嵌り込んでケースとコンタクトターミナルに同時に接触するものと比べて、ショートの発生が抑制されると共に、ロバスト性が向上する。
【００４５】
アクセサリーソケット１は、インシュレータ４のフランジ部４０の斜面部４００が傾斜しているので、傾斜していない場合と比べて、ケース２に入った液体が斜面部４００から水抜開口２５に流れ易い。
【００４６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００４７】
１…アクセサリーソケット、２…ケース、３…コンタクトターミナル、４…インシュレータ、５…コネクタハウジング、７…導電性部材、８…プラグ、９…車両、２１…側面、２２…挿入孔、２３…開口、２４…底面、２５…水抜開口、２６…中央孔、２７…開口、３０…円柱部、３１…先端部、３２…端部、３３…円板部、４０…フランジ部、４１…筒部、４２，４３…スリット、４４…支持部、４５ａ〜４５ｃ…スリット、４６ａ，４６ｂ…スリット、５０…接続開口、５１…挿入開口、５２…突出部、９０…フロアコンソール、３１０…上面、４００…斜面部、４０１…下面、４０２…突起、４０３…円溝、４１０…上面、４１１…下部、４１２…孔、４１３…挿入孔、４１４…下面、４１５…中心、４２０，４３０…線、４５０ａ〜４５０ｃ…線、４６０ａ，４６０ｂ…線
【図１】
2017112034.tif 000003
【図２】
2017112034.tif 000004
【図３】
2017112034.tif 000005
【図４】
2017112034.tif 000006